(57)【特許請求の範囲】
【請求項１】
自動体外式除細動器（以下、ＡＥＤ）に実装された少なくとも一つの無線端末と、
前記少なくとも一つの無線端末から送信された信号をＩＰネットワークを経由して受信する制御装置と、を備える緊急通報システムであって、
前記無線端末は、
ＡＥＤ収納ケースから前記ＡＥＤが取り出されたときに、少なくとも前記ＡＥＤの設置場所に関連する情報と前記ＡＥＤの取り出された時刻を識別する第１の識別信号とを送信する第１の通報手段と、
ＡＥＤ本体ケースが開けられたときに、少なくとも前記ＡＥＤの設置場所に関連する情報と前記ＡＥＤ本体ケースが開けられた時刻を識別する第２の識別信号とを送信する第２の通報手段と、
前記ＡＥＤが使用されたときに、少なくとも前記ＡＥＤの設置場所に関連する情報と前記ＡＥＤが使用された時刻を識別する第３の識別信号とを送信する第３の通報手段とを備え、
前記制御装置は、
前記無線端末から前記第１または第２または第３の識別信号を受信した場合、受信の旨を知らせる報知手段と、
前記無線端末から受信した前記ＡＥＤの設置場所に関連する情報に基づいて前記ＡＥＤの設置場所を表示する表示手段と、を備える
ことを特徴とする緊急通報システム。
【請求項２】
前記無線端末は、
前記ＡＥＤのバッテリー残量を一定期間毎に監視するバッテリー監視手段と、
前記ＡＥＤのバッテリー残量が所定の閾値を下回った場合に、少なくとも前記ＡＥＤの設置場所に関連する情報とバッテリー残量が一定以下になったことを識別する第４の識別信号とを送信する第４の通報手段と、をさらに備える
ことを特徴とする請求項１に記載の緊急通報システム。
【請求項３】
前記ＡＥＤの設置場所に関連する情報として、前記無線端末が備えるＧＰＳの測位データが用いられることを特徴とする請求項１又は２に記載の緊急通報システム。
【請求項４】
自動体外式除細動器（以下、ＡＥＤ）に実装され、ＩＰネットワークを経由して緊急通報システムの制御装置に信号を送信する無線端末であって、
ＡＥＤ収納ケースから前記ＡＥＤが取り出されたときに、少なくとも前記ＡＥＤの設置場所に関連する情報と前記ＡＥＤの取り出された時刻を識別する第１の識別信号とを送信する第１の通報手段と、
ＡＥＤ本体ケースが開けられたときに、少なくとも前記ＡＥＤの設置場所に関連する情報と前記ＡＥＤ本体ケースが開けられた時刻を識別する第２の識別信号とを送信する第２の通報手段と、
前記ＡＥＤが使用されたときに、少なくとも前記ＡＥＤの設置場所に関連する情報と前記ＡＥＤが使用された時刻を識別する第３の識別信号とを送信する第３の通報手段と、
を備えることを特徴とする無線端末。
【請求項５】
前記ＡＥＤのバッテリー残量を一定期間毎に監視するバッテリー監視手段と、
前記ＡＥＤのバッテリー残量が所定の閾値を下回った場合に、少なくとも前記ＡＥＤの設置場所に関連する情報とバッテリー残量が一定以下になったことを識別する第４の識別信号とを送信する第４の通報手段と、
をさらに備えることを特徴とする請求項４に記載の無線端末。
【請求項６】
前記ＡＥＤの設置場所に関連する情報として、前記無線端末が備えるＧＰＳの測位データが用いられることを特徴とする請求項４又は５に記載の無線端末。
【請求項７】
請求項４乃至６の何れか１項に記載の無線端末が送信する信号をＩＰネットワークを経由して受信する緊急通報システムの制御装置であって、
前記無線端末から前記第１または第２または第３の識別信号を受信した場合、受信の旨を知らせる報知手段と、
前記無線端末から受信した前記ＡＥＤの設置場所に関連する情報に基づいて前記ＡＥＤの設置場所を表示する表示手段と、
を備えることを特徴とする制御装置。
【発明の詳細な説明】
【技術分野】
【０００１】
本発明は、自動体外式除細動器（ＡＥＤ）を使用した場合の緊急通報システム、該システムを構成する無線端末及び制御装置に関する。
【背景技術】
【０００２】
ＡＥＤは、心臓の心室細動の際に電気ショックを与え、心臓の働きを戻すことを試みる救助機器である。従来のＡＥＤの設置例を模式的に示したものが図５である。図５に示すように、ＡＥＤ１０１はＡＥＤ収納ケース１０２に収納された状態で設置される。ＡＥＤ収納ケース１０２は、ＡＥＤ１０１を取り出すための扉１０３と、パトライトやサイレンからなる警報装置１０４とを有している。警報装置１０４は扉１０３が開放されることを条件として作動し、周囲の人間にＡＥＤ１０１が使用される緊急事態であることを報知する。従来、ＡＥＤ１０１を使用して救助を行う者(以下、救助者)は、ＡＥＤ収納ケース１０２の扉１０３を開けてＡＥＤ１０１を取り出し、一人又は複数名によって救助活動を行っていた。
【０００３】
上述した従来のＡＥＤを用いた救助では、ＡＥＤ収納ケースからＡＥＤを取り出し、救助活動を行うという一連の動作の他に、携帯電話や公衆電話から１１９番等へ通報するという動作も必要となる。このため、救助者自身が単独で救助活動を行う場合には、救助を優先して行えば通報が遅れ、通報を優先して行えば救助が遅れてしまう。また、同様に救助者が単独で救助を行う場合、救助者自身が携帯電話を持っていない、或いは公衆電話が見当たらない等の理由で通報が大幅に遅れてしまうおそれがあった。更に、救助者がその土地に不慣れの場合には、場所を正確に伝えることができないか、伝えるまでに時間を要することになる。
【０００４】
以上のような問題を解決するための発明が特開２００６−４３２７０号公報に開示されている。その発明（以下、先行発明）によれば、ＡＥＤが取り出されたことがＡＥＤ収納ケースに取り付けられている取出検知部で検知され、管理センターやＡＥＤ収納ケースの周囲の人に必要な情報が提供される。
【先行技術文献】
【特許文献】
【０００５】
【特許文献１】特開２００６−４３２７０号公報
【発明の概要】
【発明が解決しようとする課題】
【０００６】
しかしながら、上記先行発明をもってしても全ての問題が解決されるわけではない。ＡＥＤを必要とする人はＡＥＤ収納ケースの近くにいるとは限らず、救助者はＡＥＤを必用とする人が居る正確な場所、その人の状況を再度、携帯電話等で緊急に救急医療機関へ連絡しなければならない。その際、救助者自身が携帯電話を持っていないか近くに公衆電話等がない場合には、従来同様、通報が大幅に遅れてしまうことになる。また、救助者がその土地に不慣れの場合には、従来同様、場所を正確に伝えることができないか、伝えるまでに時間を要することになる。
【０００７】
更に、上記先行発明には新たな問題がある。誤りや悪戯によりＡＥＤが取り出された場合でも管理センターには取り出し情報が通報されるため、医療機関に混乱を招いてしまうことになる。
【０００８】
本発明は上述のような課題に鑑みなされたもので、救助者が単独で救助活動を行う場合においても、救助もしくは通報が遅れてしまうことがなく、しかも、確実な情報を通知することができ、操作の誤りや悪戯による誤報も防ぐことが可能な緊急通報システムを提供することを目的とする。
【課題を解決するための手段】
【０００９】
本発明によれば、ＡＥＤに実装した無線端末と、無線端末の信号をＩＰネットワークを経由して受信する制御装置とによって緊急通報システムが構成される。無線端末は、予め定められたＡＥＤの使用の段階ごとに、少なくともＡＥＤの設置場所に関連する情報とＡＥＤの使用の段階を識別する識別信号とを送信する。例えば、ＡＥＤが所定の収納場所から取り出されたことが検知された場合に、少なくともＡＥＤの設置場所に関連する情報と、ＡＥＤが取り出されたことを識別する第１の識別信号とを送信する。その後、ＡＥＤの本体のケースが開けられたことを受けて、少なくともＡＥＤの設置場所に関連する情報と、ＡＥＤ本体のケースが開けられたことを識別する第２の識別信号とを送信する。さらに、ＡＥＤが実際に使用されたことを受けて、少なくともＡＥＤの設置場所に関連する情報と、ＡＥＤが実際に使用されたことを識別する第３の識別信号とを送信する。ＡＥＤの設置場所に関連する情報としては、設置場所に対応付けられた無線端末の管理番号を用いることができる。無線端末がＧＰＳ機能を備えるのであればＧＰＳによる測位データを前記情報として用いることもできる。制御装置は、無線端末から第１、第２及び第３の識別信号を受信した場合、受信の旨を報知するとともに、無線端末から受信した無線端末の管理番号、或いは、ＧＰＳによる測位データに基づいてＡＥＤの設置場所を表示する。
【発明の効果】
【００１０】
本発明によれば、救助者が単独で救助活動を行う場合においても、救助もしくは通報が遅れてしまうことがなく、しかも、確実な情報を通知することができる。
【図面の簡単な説明】
【００１１】
【図１】本発明の実施の形態１の緊急通報システムの構成を示す模式図である。
【図２】本発明の実施の形態１の緊急通報システムの動作を示すフローチャートである。
【図３】本発明の実施の形態２の緊急通報システムの構成を示す模式図である。
【図４】本発明の実施の形態２の緊急通報システムの動作を示すフローチャートである。
【図５】従来のＡＥＤの設置例を示す模式図である。
【発明を実施するための形態】
【００１２】
実施の形態１．
本発明の実施の形態１について図を参照して説明する。
【００１３】
図１は、本発明の実施の形態１の緊急通報システムの構成を示す図である。本実施の形態の緊急通報システムは、ＡＥＤと連動した通報装置１と、通報装置１からの通報情報を受信する制御装置２０とから構成される。
【００１４】
通報装置１は、救助機器であるＡＥＤ２と、ＡＥＤ２を収納するＡＥＤ収納ケース４と、ＡＥＤ２が使用される緊急事態であることを通報する無線端末６とから成る。無線端末６はＡＥＤ収納ケース４の外部、例えば、ＡＥＤ収納ケース４の扉５に取り付けられている。ＡＥＤ２の本体のケース内には、人体に装着する電極パッド３が収納されている。
【００１５】
ＡＥＤ収納ケース４は、ＡＥＤ２を取り出すための扉５を有している。また、ＡＥＤ収納ケース４の上面には、パトライトやサイレンからなる警報装置８が設置されている。警報装置８は、扉５の開放に連動して作動するようになっている。ＡＥＤ収納ケース４の内部には、ＡＥＤ取り出し検出装置７が設置されている。
【００１６】
ＡＥＤ取り出し検出装置７は、ＡＥＤ収納ケース４からＡＥＤ２が取り出されたことを検出する装置であり、実際にＡＥＤ２が取り出されたときには無線端末６の電源をＯＮにする機能を有している。ＡＥＤ取り出し検出装置７の具体的な実装例としては、ＡＥＤ収納ケース４の扉５を開くか、或いは、ＡＥＤ収納ケース４からＡＥＤ２を取り出すことで、無線端末６の電池の正極或いは負極の接触部に挿入した絶縁物が外れる仕組みを挙げることができる。
【００１７】
制御装置２０は、ＩＰネットワーク４０に接続可能であり、複数の通報装置１からの通報情報をＩＰ信号として受信することができる。一般的には、制御装置２０はＰＣで構成することができる。通報装置１からの通報情報は、最寄りの基地局３０で受信され、ＩＰネットワーク４０を介して制御装置２０に送られる。
【００１８】
無線端末６は、緊急通報を行うための無線機能を有する。また、ＡＥＤ２が取り出された日時、ＡＥＤ本体のケースが開けられた日時、及びＡＥＤ２が使用された日時を検出するための時計機能も有する。更に、予め設定された無線端末固有の番号、該固有番号に対する緊急通報装置としての管理番号、及び通報内容を識別可能な信号を送信する機能も有する。更に、ＡＥＤ２のバッテリー残量を監視するバッテリー監視機能も有する。無線端末６の通報動作に関する電源は、ＡＥＤ収納ケース４の扉５の開放と同時にＯＮするように構成されており、扉５が閉じている状態では電源はＯＦＦになっている。なお、時計の電源並びにバッテリー監視機能は常時ＯＮであるが、制御装置２０上で時間管理を行うために無線端末６側の時計が不要な場合は、時計電源をＯＦＦすることができる。尚且つ、バッテリー監視機能も不要な場合には、無線端末６の全電源をＯＦＦにすることができる。
【００１９】
本実施の形態の通報装置１を設置する場合、無線端末６に少なくとも１つの管理番号を設定し、事前に管理番号と設置場所との対応付けを行っておく。管理番号は、ｗｅｂ上にて無線端末固有番号で呼び出して無線端末６に設定することができる。また、直接有線接続して設定することも可能である。なお、管理番号の変わりに無線端末固有番号を使用しても構わない。管理番号と設置場所との対応付けは、制御装置２０上で事前に設定することができる。
【００２０】
次に、本実施の形態の緊急通報システムの動作について図２を用いて説明する。図２は、本実施の形態の緊急通報システムの動作を示すフローチャートである。
【００２１】
図２のフローチャートに従えば、まず、緊急通報システムを使用する準備として、無線端末６に管理番号を設定し、制御装置２０で管理番号と設置場所を対応づけることが行われる（ステップＳ１０１）。準備の完了後、緊急通報システムは待機状態となる（ステップＳ１０２）。
【００２２】
この待機状態において、ＡＥＤ２を取り出すために扉５が開放された場合（ステップＳ１０３）、扉５の開放に連動して警報装置８が作動する。その後、実際にＡＥＤ２が取り出されることを条件として（ステップＳ１０４）、無線端末６の通報動作の電源が入り無線端末６が起動する（ステップＳ１０５）。そして、無線端末６は第１の通報動作を行い、ＡＥＤ２が取り出された時刻、管理番号、及びＡＥＤ２が取り出されたことを識別する識別信号１を送信する（ステップＳ１０６）。詳しくは、無線端末６は、作動した日時を一時的に記憶し、予め端末に設定されている管理番号と識別信号１と共に即時に第１の緊急通報データとして送信する。
【００２３】
この時、扉５が開放された時点で無線端末６の電源が入り、ＡＥＤ２が取り出されたことによって通報開始とすれば、通報が行われるまでの時間を短縮することができる。一般に、無線端末６の接続動作には時間を要するためである。第１の通報動作の完了後、無線端末６の電源はＯＦＦになる（ステップＳ１０７）。
【００２４】
無線端末６によって送信された第１の緊急通報のデータは、基地局３０によって受信され、ＩＰネットワーク４０へと送信され、制御装置２０に収容される。制御装置２０に第１の緊急通報のデータが収容されると、制御装置２０はアラームを鳴らして注意を喚起する（ステップＳ１０８）。そして、管理番号、送信時間、通報内容、及び設置場所を制御装置２０の画面に表示する（ステップＳ１０９）。制御装置２０は無線端末６の管理番号と設置場所を登録したデータベースを有しているので、緊急通報のデータに含まれる管理番号から緊急通報のあった無線端末６の位置を特定することができる。制御装置２０は、管理者によって随時管理されている。管理者は、緊急通報を受信したことを確認すると、緊急通報として収容された日時や位置情報をもとに１１９番通報する等の適当な処置を取る。制御装置２０は、ＩＰネットワーク４０にＰＣで容易に接続できるので、ＡＥＤ２の管理会社、自治体、消防署等に設置することができる。
【００２５】
上記の第１の通報動作が実行され、その後、ＡＥＤ２の本体のケースが開けられた場合は（ステップＳ１１０）、再び無線端末６の通報動作の電源が入り無線端末６が起動する（ステップＳ１１１）。そして、無線端末６は第２の通報動作を行い、ＡＥＤ２の本体のケースが開けられた時刻、管理番号、及び、ＡＥＤ２の本体のケースが開けられたことを識別する識別信号２を送信する（ステップＳ１１２）。詳しくは、無線端末６は、作動した日時を一時的に記憶し、予め端末に設定されている管理番号と識別信号２と共に即時に第２の緊急通報データとして送信する。
【００２６】
この場合、ＡＥＤ２の本体のケースが開けられたことを識別する識別信号２は、人体に装着する電極パッド３をＡＥＤ２の本体から取り外したときに送信されることとしてもよい。第２の通報動作の完了後、無線端末６の電源は再びＯＦＦになる（ステップＳ１１３）。
【００２７】
無線端末６によって送信された第２の緊急通報のデータは、基地局３０及びＩＰネットワーク４０を経て制御装置２０に収容される。制御装置２０に第２の緊急通報のデータが収容されると、制御装置２０はアラームを鳴らして注意を喚起する（ステップＳ１１４）。そして、管理番号、送信時間、通報内容、及び設置場所を制御装置２０の画面に表示する（ステップＳ１１５）。
【００２８】
上記の第１、第２の通報動作が実行され、その後、実際にＡＥＤ２が使用された場合には（ステップＳ１１６）、再び無線端末６の通報動作の電源が入り無線端末６が起動する（ステップＳ１１７）。そして、無線端末６は第３の通報動作を行い、ＡＥＤ２が使用された時刻、管理番号、及びＡＥＤ２が使用されたことを識別する識別信号３を送信する（ステップＳ１１８）。詳しくは、無線端末６は、作動した日時を一時的に記憶し、予め端末に設定されている管理番号と識別信号３と共に即時に第３の緊急通報データとして送信する。
【００２９】
なお、ＡＥＤ２が使用されたときとは、電気ショックを与えるスイッチボタン（図示略）を押したときに相当する。第３の通報動作の完了後、無線端末６の電源は再びＯＦＦになる（ステップＳ１１９）。
【００３０】
無線端末６によって送信された第３の緊急通報のデータは、基地局３０及びＩＰネットワーク４０を経て制御装置２０に収容される。制御装置２０に第３の緊急通報のデータが収容されると、制御装置２０はアラームを鳴らして注意を喚起する（ステップＳ１２０）。そして、管理番号、送信時間、通報内容、及び設置場所を制御装置２０の画面に表示する（ステップＳ１２１）。
【００３１】
また、無線端末６では、ＡＥＤ２のバッテリー残量を一定間隔で監視することも行われている。監視するＡＥＤ２のバッテリー残量がある閾値以下になった場合（ステップＳ１２２）、無線端末６の通報動作の電源が入る（ステップＳ１２３）。無線端末６は、ＡＥＤ２のバッテリーが閾値以下になった時刻、管理番号、及びＡＥＤ２のバッテリーが閾値以下になったことを識別する識別信号４を送信する（ステップＳ１２４）。
【００３２】
無線端末６によって送信されたバッテリー低下通報のデータは、基地局３０及びＩＰネットワーク４０を経て制御装置２０に収容される。制御装置２０にバッテリー低下通報のデータが収容されると、制御装置２０は、管理番号、送信時間、通報内容、及び設置場所を画面に表示する（ステップＳ１２５）。
【００３３】
以上のように、ＡＥＤ２のバッテリー残量がある一定量以下になったことが通知されることで、管理者はバッテリー不足に陥るおそれのあるＡＥＤ２の存在を知ることができる。これにより、ＡＥＤ２が必要になった際にバッテリー不足によって使用不可能な状態に陥ることを防ぐことが可能となる。
【００３４】
以上のように、本実施の形態の緊急通報システムは、ＡＥＤ２と連動した緊急通報システムであるので、救助者がＡＥＤ２を使用して救助活動を行う一連の動作で自動的に緊急通報を行うことができる。更に、救助者の側からの場所の通報が無くとも、制御装置２０の側において場所を特定することができる。従って、救助者が単独で救助活動を行う場合においても、救助もしくは通報が遅れてしまうことがない。より詳しくは、救助者が携帯電話を保有していない或いは公衆電話が周囲に見当たらないといった状況でも、速やかに通報することができ、より迅速な救助活動を行うことができるようになる。
【００３５】
また、本実施の形態の緊急通報システムによれば、第１、第２、第３と段階に応じて通報が繰り返され、識別信号１〜３によって状況が管理者に伝えられる。これにより、より確実な情報を管理者に通知することができ、操作の誤りや悪戯等による誤報を防ぐことも可能となる。
【００３６】
更に、本実施の形態の緊急通報システムによれば、ＡＥＤ２のバッテリー監視も行われるので、必要時にバッテリー不足によりＡＥＤ２が使用不能に陥ることがなく、より確実なＡＥＤ２による救助活動を行うことができるようになる。
【００３７】
更に、本実施の形態の緊急通報システムによれば、ＡＥＤ収納ケース４の扉５が開いてから、或いはＡＥＤ２が取り出されてから無線端末６の電源が入るため、無線端末６の電池動作が可能である。即ち、本実施の形態の緊急通報システムは、電源が取れないグラウンド等にも設置することができる。
【００３８】
実施の形態２．
本発明の実施の形態２について図を参照して説明する。
【００３９】
図３は、本発明の実施の形態２の緊急通報システムの構成を示す図である。本実施の形態の緊急通報システムは、ＡＥＤと連動した通報装置１１と、通報装置１１からの通報情報を受信する制御装置２１とから構成される。
【００４０】
通報装置１１は、実施の形態１の緊急通報システムと同様、ＡＥＤ２、ＡＥＤ収納ケース４、及び無線端末１２から構成される。ただし、本実施の形態の緊急通報システムでは、無線端末１２はＧＰＳ１３を装備しており、制御装置２１への通報情報として管理番号や時刻情報の他に、ＧＰＳ１３で取得した測位データ（ＧＰＳ情報）を送信することができる。
【００４１】
また、本実施の形態の緊急通報システムでは、制御装置２１は、各無線端末１２からの管理番号及び時刻情報の他に、各無線端末１２からのＧＰＳ情報を収容し、画面に表示することができる。更には、制御装置２１は、無線端末１２からのＧＰＳ情報を元に地図上に無線端末１２の位置を示すことも可能である。
【００４２】
次に、本実施の形態の緊急通報システムの動作について図４を用いて説明する。図４は、本実施の形態の緊急通報システムの動作を示すフローチャートである。
【００４３】
図４のフローチャートに従えば、まず、緊急通報システムを使用する準備として、無線端末６に管理番号を設定し、制御装置２１で管理番号と設置場所を対応づけることが行われる（ステップＳ２０１）。ただし、後述するように、本実施の形態の緊急通報システムにおいては、この準備作業は必ずしも必要ではない。準備の完了後、緊急通報システムは待機状態となる（ステップＳ２０２）。
【００４４】
この待機状態において、ＡＥＤ２を取り出すために扉５が開放された場合（ステップＳ２０３）、扉５の開放に連動して警報装置８が作動する。その後、実際にＡＥＤ２が取り出されることを条件として（ステップＳ２０４）、ＧＰＳ１３の電源が入りＧＰＳ１３が起動するとともに（ステップＳ２０５）、無線端末１２の通報動作の電源も入り無線端末１２が起動する（ステップＳ２０６）。そして、無線端末１２は第１の通報動作を行い、ＡＥＤ２が取り出された時刻、管理番号、ＧＰＳ情報、及びＡＥＤ２が取り出されたことを識別する識別信号１を送信する（ステップＳ２０７）。詳しくは、無線端末１２は、作動した日時とＧＰＳ位置情報とを一時的に記憶し、予め端末に設定されている管理番号と識別信号１と共に即時に第１の緊急通報データとして送信する。
【００４５】
この時、扉５が開放された時点で無線端末１２及びＧＰＳ１３の電源が入り、ＡＥＤ２が取り出されたことによって通報開始とすれば、通報が行われるまでの時間を短縮することができる。一般に、無線端末１２の接続動作やＧＰＳ１３の位置取得動作には時間を要するためである。第１の通報動作の完了後、ＧＰＳ１３の電源はＯＦＦになり（ステップＳ２０８）、また、無線端末１２の電源もＯＦＦになる（ステップＳ２０９）。
【００４６】
無線端末１２によって送信された第１の緊急通報のデータは、基地局３０によって受信され、ＩＰネットワーク４０へと送信され、制御装置２１に収容される。制御装置２１に第１の緊急通報のデータが収容されると、制御装置２１はアラームを鳴らして注意を喚起する（ステップＳ２１０）。そして、管理番号、ＧＰＳ情報、送信時間、通報内容、及び設置場所を制御装置２１の画面に表示する（ステップＳ２１１）。ＧＰＳ情報、すなわち、位置情報は、地図上に表示することも可能である。管理者は、緊急通報を受信したことを確認すると、緊急通報として収容された日時や位置情報をもとに１１９番通報する等の適当な処置を取る。
【００４７】
上記の第１の通報動作が実行され、その後、ＡＥＤ２の本体のケースが開けられた場合は（ステップＳ２１２）、再びＧＰＳ１３の電源が入りＧＰＳ１３が起動するとともに（ステップＳ２１３）、無線端末１２の通報動作の電源が入り無線端末１２が起動する（ステップＳ２１４）。そして、無線端末１２は第２の通報動作を行い、ＡＥＤ２の本体のケースが開けられた時刻、管理番号、ＧＰＳ情報、及び、ＡＥＤ２の本体のケースが開けられたことを識別する識別信号２を送信する（ステップＳ２１５）。
【００４８】
この場合、ＡＥＤ２の本体のケースが開けられたことを識別する識別信号２は、人体に装着する電極パッド３をＡＥＤ２の本体から取り外したときに送信されることとしてもよい。第２の通報動作の完了後、ＧＰＳ１３の電源は再びＯＦＦになり（ステップＳ２１６）、また、無線端末１２の電源もＯＦＦになる（ステップＳ２１７）。
【００４９】
無線端末１２によって送信された第２の緊急通報のデータは、基地局３０及びＩＰネットワーク４０を経て制御装置２１に収容される。制御装置２１に第２の緊急通報のデータが収容されると、制御装置２１はアラームを鳴らして注意を喚起する（ステップＳ２１８）。そして、管理番号、ＧＰＳ情報、送信時間、通報内容、及び設置場所を制御装置２１の画面に表示する（ステップＳ２１９）。その際、地図上にＧＰＳ情報を表示することも可能である。
【００５０】
上記の第１、第２の通報動作が実行され、その後、実際にＡＥＤ２が使用された場合には（ステップＳ２２０）、再びＧＰＳ１３の電源が入りＧＰＳ１３が起動するとともに（ステップＳ２２１）、無線端末１２の通報動作の電源が入り無線端末１２が起動する（ステップＳ２２２）。そして、無線端末１２は第３の通報動作を行い、ＡＥＤ２が使用された時刻、管理番号、ＧＰＳ情報、及びＡＥＤ２が使用されたことを識別する識別信号３を送信する（ステップＳ２２３）。
【００５１】
なお、ＡＥＤ２が使用されたときとは、電気ショックを与えるスイッチボタン（図示略）を押したときに相当する。第３の通報動作の完了後、ＧＰＳ１３の電源は再びＯＦＦになり（ステップＳ２２４）、また、無線端末１２の電源もＯＦＦになる（ステップＳ２２５）。
【００５２】
無線端末１２によって送信された第３の緊急通報のデータは、基地局３０及びＩＰネットワーク４０を経て制御装置２１に収容される。制御装置２１に第３の緊急通報のデータが収容されると、制御装置２１はアラームを鳴らして注意を喚起する（ステップＳ２２６）。そして、管理番号、ＧＰＳ情報、送信時間、通報内容、及び設置場所を制御装置２１の画面に表示する（ステップＳ２２７）。その際、地図上にＧＰＳ情報を表示することも可能である。
【００５３】
また、無線端末１２ではＡＥＤ２のバッテリー残量を一定間隔で監視することが行われている。監視するＡＥＤ２のバッテリー残量がある閾値以下になった場合（ステップＳ２２８）、ＧＰＳ１３の電源が入り（ステップＳ２２９）、無線端末１２の通報動作の電源も入る（ステップＳ２３０）。無線端末１２は、ＡＥＤ２のバッテリーが閾値以下になった時刻、管理番号、ＧＰＳ情報、及びＡＥＤ２のバッテリーが閾値以下になったことを識別する識別信号４を送信する（ステップＳ２３１）。
【００５４】
無線端末１２によって送信されたバッテリー低下通報のデータは、基地局３０及びＩＰネットワーク４０を経て制御装置２１に収容される。制御装置２１にバッテリー低下通報のデータが収容されると、制御装置２１は、管理番号、送信時間、通報内容、及び設置場所を画面に表示する（ステップＳ２３２）。
【００５５】
以上のように、本実施の形態の緊急通報システムは、位置情報の取得のためにＧＰＳ１３を用いている。このため、本実施の形態の緊急通報システムによれば、実施の形態１の緊急通報システムで得られる利点に加えて、ＡＥＤ２の正確な場所を通報することができるという利点が得られる。更に、上記の説明ではシステム導入時に無線端末１２の管理番号と設置場所とを関連付ける準備作業を行っているが、その準備作業を省略することもできる。つまり、無線端末１２に管理番号を設定することは利便性の点では好ましいが、ＧＰＳ１３が正常に動作できる環境（特に屋外）では、必ずしも管理番号は必要ではない。また、屋内設置の場合であれば、設置場所においてＧＰＳ１３が有効に動作できない場合、最も近い屋外（窓辺等）で一時的にＧＰＳ１３を動作させてその位置を検出し、その位置データを無線端末１２内のメモリに送信データの一部として格納しておくようにしてもよい。
【００５６】
その他．
以上、本発明の実施の形態について説明したが、本発明は上述の実施の形態に限定されるものではなく、本発明の趣旨を逸脱しない範囲で種々変形して実施することができる。例えば、上記の実施の形態では、無線端末６，１２の通報動作の電源がＡＥＤ２の取り出しを検出してＯＮになることを示したが、救助者がボタンを押して電源をＯＮにする方法でもよいことは言うまでもない。
【００５７】
また、上記実施の形態では無線端末６，１２の通報動作の電源をＯＮ／ＯＦＦすることについて述べたが、デバイス及び間欠動作等の低消費電力化技術が進んだ場合には、電源は常時ＯＮにしてもよい。その場合、電源をＯＮ状態にして基地局３０との接続は常に確保し、ＡＥＤ２の取り出しの検出によって通報自体を開始するようにすれば、接続に関する時間を短縮化することが可能となる。
【００５８】
また、上記実施の形態では無線端末６，１２はＡＥＤ収納ケース４の外に実装されている場合について説明したが、無線端末６，１２の取り付け位置は、ＡＥＤ収納ケース４の外部には限定されない。ＡＥＤ収納ケース４の内部に実装することも可能である。例えば、磁石などで無線端末６，１２を収納ケース４の内部に設置してもよい。
【００５９】
更に、上記の実施の形態では無線端末６，１２の通報動作は３段階になっているが、２段階にすることも可能である。例えば、第２の通報動作は省略して、第１の通報動作と第３の通報動作を行うことも可能である。また、第１の通報動作は省略して、第２の通報動作と第３の通報動作を行うことも可能である。逆に、ＡＥＤの取り出しからの使用の段階を３段階よりもさらに細かく分け、取り出しからの使用の段階ごとに通報動作を行うことも可能である。
【符号の説明】
【００６０】
１，１１  通報装置
２  ＡＥＤ
３  電極パッド
４  ＡＥＤ収納ケース
５  扉
６，１２  無線端末
７  ＡＥＤ取り出し検出装置
８  警報装置
１３  ＧＰＳ
２０，２１  制御装置
３０  基地局
４０  ＩＰネットワーク
【図１】
0005594042.tif 000002
【図２】
0005594042.tif 000003
【図３】
0005594042.tif 000004
【図４】
0005594042.tif 000005
【図５】
0005594042.tif 000006